(57)【特許請求の範囲】
【請求項１】
原稿上の特定情報領域に形成された同一分類符号となる原稿束単位の情報を与える原稿束識別情報と、
前記原稿上の画像データを画素毎に読取る画像データ読取手段と、
この画像データ読取手段により読取った前記原稿上の画像データを頁単位で記憶する画像データ記憶手段と、
この画像データ記憶手段に記憶された任意の頁の画像データを転写紙に形成する画像形成手段と、
前記画像データ記憶手段に記憶された前記画像データ中の文字と方向とを認識する画像データ認識手段と、
この画像データ認識手段により認識された前記原稿束識別情報を前記原稿の頁単位で記憶する頁情報テーブルと、
この頁情報テーブルに記憶された前記原稿束識別情報に基づいて前記画像データ記憶手段に記憶された前記画像データを原稿束単位で並べ替える原稿束単位並替手段と、
両面コピー時における原稿束識別情報が異なった原稿の画像形成が転写紙の裏面側に当たる場合、その転写紙の裏面側を白紙として排出し次の転写紙の表面側から新たに画像形成を開始する転写紙画像形成制御手段と、
を備えたことを特徴とする画像形成装置。
【請求項２】
原稿上の特定情報領域に形成された同一分類符号となる原稿束単位の情報を与える原稿束識別情報と、
前記原稿上の画像データを画素毎に読取る画像データ読取手段と、
この画像データ読取手段により読取った前記原稿上の画像データを頁単位で記憶する画像データ記憶手段と、
この画像データ記憶手段に記憶された任意の頁の画像データを転写紙に形成する画像形成手段と、
前記画像データ記憶手段に記憶された前記画像データ中の文字と方向とを認識する画像データ認識手段と、
この画像データ認識手段により認識された前記原稿束識別情報を前記原稿の頁単位で記憶する頁情報テーブルと、
この頁情報テーブルに記憶された前記原稿束識別情報に基づいて前記画像データ記憶手段に記憶された前記画像データを原稿束単位で並べ替える原稿束単位並替手段と、
原稿束識別情報を認識できなかった原稿を、その原稿の読取り以前に認識した原稿と同一の原稿束識別情報とする識別情報判断手段と、
を備えたことを特徴とする画像形成装置。
【請求項３】
原稿上の特定情報領域に形成された頁単位の情報を与える原稿頁識別情報と、
前記原稿上の画像データを画素毎に読取る画像データ読取手段と、
この画像データ読取手段により読取った前記原稿上の画像データを記憶する画像データ記憶手段と、
この画像データ記憶手段に記憶された画像データを転写紙に形成する画像形成手段と、
前記画像データ記憶手段に記憶された前記画像データ中の文字と方向とを認識する画像データ認識手段と、
この画像データ認識手段により認識された前記原稿頁識別情報を前記原稿の頁単位で記憶する頁情報テーブルと、
この頁情報テーブルに記憶された前記原稿頁識別情報に基づいて前記画像データ記憶手段に記憶された前記画像データを前記原稿の頁順に並べ替える原稿頁順並替手段と、
原稿上の頁認識領域を選択する頁認識領域選択手段と、
を備えたことを特徴とする画像形成装置。
【請求項４】
原稿上の特定情報領域に形成された原稿束単位及び頁単位の情報を与える原稿束・頁識別情報と、
前記原稿上の画像データを画素毎に読取る画像データ読取手段と、
この画像データ読取手段により読取った前記原稿上の画像データを記憶する画像データ記憶手段と、
この画像データ記憶手段に記憶された画像データを転写紙に形成する画像形成手段と、
前記画像データ記憶手段に記憶された前記画像データ中の文字と方向とを認識する画像データ認識手段と、
この画像データ認識手段により認識された前記原稿束・頁識別情報を前記原稿の頁単位で記憶する頁情報テーブルと、
この頁情報テーブルに記憶された前記原稿束・頁識別情報に基づいて前記画像データ記憶手段に記憶された前記画像データを原稿の原稿束単位及び頁順に並べ替え、かつ、前記原稿束・頁識別情報を認識できない画像データを原稿束の画像形成終了後の位置又は前記原稿束間の位置に挿入する原稿束・頁順並替手段と、
次の原稿束の画像データを画像形成する際、前記原稿束の画像データをその一つ前の原稿束の画像データの出力方向に対して１８０°回転して出力する原稿束回転出力手段と、
を備えたことを特徴とする画像形成装置。
【発明の詳細な説明】
【０００１】
【産業上の利用分野】
本発明は、ファクシミリやデジタル複写機等の分野で利用され、読み取られた原稿の画像データを並べ替えて出力する画像形成装置に関する。
【０００２】
【従来の技術】
従来における画像形成装置としては、例えばファクシミリにみられるように、原稿から読み取った画像データを、一旦画像メモリに格納し、そのメモリした順に従って転写紙に画像を形成していくもの（いわゆる電子ソート技術）がある。
【０００３】
また、特開昭６４−８４３９５号公報、特開昭６４−８４３９６号公報等に開示されているように、原稿中の文字部分（例えば、はがきの住所）を抽出し、文字と角度を認識して原稿の選別を行うもの（いわゆる文字認識技術）がある。
【０００４】
ここで、従来における画像形成装置の具体例を図３６〜図３９に基づいて説明する。図３６は、自動原稿給送装置１（以下、ＡＤＦという）を備えたデジタル複写機の構造を示す。今、ＡＤＦ１の原稿台２上には、原稿３がその文字面（表面側）を上向きにした状態で多数枚積み重ねられている。そして、図３８に示すような操作部４のスタートキー５が押されると、原稿台２にセットされた原稿３のうち一番下の原稿３が、給送ローラ６、給送ベルト７によって搬送されていき、コンタクトガラス８上の所定の位置にセットされる。このセットされた状態で、読取ユニット９によって原稿３の文字面側が読み取られる。この読取ユニット９は、図３７に示すように、コンタクトガラス８と、読取り光学系とからなっている。その読取り光学系は、露光ランプ１１と、第１ミラー１２と、第２ミラー１３と、第３ミラー１４と、結像レンズ１５と、ＣＣＤイメージセンサ１６（以下、ＣＣＤという）とにより構成されている。
【０００５】
そして、原稿３を読み取るときには、露光ランプ１１と第１ミラー１２とを固定した第１キャリッジ（図示せず）と、第２ミラー１３と第３ミラー１４とを固定した第２キャリッジ（図示せず）とを、光路長が変わらないように、２対１の相対速度で機械的に走査し、結像レンズ１５を介してＣＣＤ１６に結像させることによって、原稿３の文字面の読取りが行われる。このようにして読取ユニット９によって読み取りが行われた後、コンタクトガラス８上の原稿３は、給送ベルト７及び搬送ローラ１０によって排出される。その後、原稿セット検知センサ１７にて原稿台２上に原稿３があることを検知した場合には、同様にして給送されていき読取りが行われる。なお、図３７の結像レンズ１５及びＣＣＤ１６を光路方向に移動することにより、画像倍率を変えることができる。また、ＡＤＦ１における給送ローラ６、給送ベルト７、搬送ローラ１０は、図３９に示すような搬送モータ１８によって駆動制御される。
【０００６】
次に、画像データを書込むときには、装置本体の下部に配置された第一トレイ１９、第二トレイ２０にそれぞれ積載された転写紙２１が、第一給紙ユニット２２、第二給紙ユニット２３によって給紙され、縦搬送ユニット２４により感光体２５に当接する位置まで搬送される。そして、書込ユニット２６によって感光体２５の面上に画像データの書込みが行われる。この書込ユニット２６は、図３７に示すように、レーザ出力ユニット２７と、結像レンズ２８と、ミラー２９とにより構成されている。レーザ出力ユニット２７内には、レーザ光源となるレーザダイオード及びモータにより高速回転するポリゴンミラー（図示せず）が設けられており、これにより出射したレーザ光は、結像レンズ２８、ミラー２９を介して、感光体２５の面上に結像して照射され、これにより画像データの書込みが行われる。その後、書込ユニット２６によって感光体２５に書込まれた画像データは、転写紙２１側に転写され画像形成が行われる。この画像形成された転写紙２１は、搬送ベルト３０によって搬送され、定着ユニット３１にて画像が定着された後、排紙ユニット３２によって排紙トレイ３３上に排出される。なお、感光体２５の照射位置の近傍には、主走査同期信号を発生するビームセンサ（図示せず）が配置されている。
【０００７】
この場合、図３９に示すように、感光体２５、搬送ベルト３０、定着ユニット３１、排紙ユニット３２は、メインコントローラ３４（ベースエンジンコントロールユニット≡ＢＣＵ）に接続されたメインモータ３５によって駆動される。第一，第二給紙ユニット２２，２３は、メインモータ３５の駆動力が伝達される第一，第二給紙ＣＬ３６，３７によって駆動される。また、縦搬送ユニット２４は、メインモータ３５の駆動力が伝達される中間ＣＬ３８によって駆動される。また、前記メインコントローラ３４には、両面搬送モータ３９、切替ＳＯＬ４０、画像処理部４１（ＩＰＵ）、前記操作部４などが接続されている。なお、画像処理部４１については後述する実施例の中で詳細に説明する。
【０００８】
操作部４には、図３８に示すように、前記スタートキー５の他に、テンキー４２、クリアストップキー４３、エンターキー４４、モードクリアキー４５、両面モードキー４６、液晶ディスプレイ４７などが配置されている。液晶ディスプレイ４７には、各キーにて設定されたモード、部数、装置の動作状態を示すメッセージが表示される。ここで、両面モードキー４６にて両面モードが設定された場合の動作について述べる。図３６において、両面モードが設定されると、まず、前述した同様な給送動作によって転写紙２１の表面側に画像形成が行われる。この表面側に転写後、切替ＳＯＬ４０をＯＮにして切替え爪４８の向きを変え、その転写され定着ユニット３１にて定着された転写紙２１を、両面搬送モータ３９により駆動される両面搬送ユニット４９によって搬送し、両面トレイ５０内にスタックする。次に、転写紙２１の裏面側に画像形成する場合には、切替ＳＯＬ４０をＯＦＦにして切替え爪４８の向きを元の位置に戻し、両面トレイ５０内の転写紙２１を両面給紙装置５１によって給紙し、感光体２５により転写紙２１の裏面側の転写を行って画像形成し、その後、同様にして定着、排紙して排紙トレイ３３上に排紙することにより、転写紙２１の両面に画像の形成が行われる。
【０００９】
【発明が解決しようとする課題】
従来、ファクシミリのように電子ソート技術を備えたものでは、画像メモリに記憶した順序に画像データを出力するが、ページ順に並べ替えたり、日付の古い順に並べ替えたりして画像データを出力するものがない。また、特開昭６４−８４３９５号公報や特開昭６４−８４３９６号公報に開示されたものでは、原稿中に書込まれた文字と角度を認識するに留まり、上下が逆向きにセットされた原稿を読み取って文字方向を全て同一方向に揃え画像データを出力するようなものは見当らない。
【００１０】
また、前述した図３６に示したようなＡＤＦ１を備えた画像形成装置においても、ＡＤＦ１にセットされた原稿３の順番やセット方向に従って画像形成が行われているため、操作者が予め原稿３のページ順やセット方向の確認及び並び替えを行ってから画像形成動作を開始しなければ、画像データは適正なページ順・セット方向にて出力されない。このため、早急に大量枚数の原稿を、原稿束単位（例えば日付単位）で複写する場合に仕分け作業において時間がかかることになり、作業効率が悪いという問題がある。
【００１１】
また、従来においては、例えばファクシミリで送られてきた用紙を原稿として、両面コピーモードにおいてコピー動作を行う場合、日付の変わり目が両面コピーされる転写紙の裏面側であっても、その裏面側に画像データがそのまま形成されてしまう。この場合、その日付の変わり目に当たる画像データが裏面側に形成された転写紙を日付単位（いわゆる原稿束単位）で仕分けしようとすると、その日付の変わり目が裏面側に当たる転写紙を原稿にして、再度、両面コピーから片面コピーなどをしなければならず、仕分け作業に時間がかかる。
【００１２】
【課題を解決するための手段】
請求項１、２記載の発明では、原稿上の特定情報領域に形成された同一分類符号となる原稿束単位の情報を与える原稿束識別情報と、原稿上の画像データを画素毎に読取る画像データ読取手段と、その原稿上の画像データを頁単位で記憶する画像データ記憶手段と、その記憶された任意の頁の画像データを転写紙に形成する画像形成手段と、その記憶された画像データ中の文字と方向とを認識する画像データ認識手段と、その認識された原稿束識別情報を原稿の頁単位で記憶する頁情報テーブルと、その記憶された原稿束識別情報に基づいて画像データ記憶手段に記憶された画像データを原稿束単位で並べ替える原稿束単位並替手段とを画像形成装置内に備えるようにした。
【００１３】
請求項１記載の発明では、更に、両面コピー時における原稿束識別情報が異なった原稿の画像形成が転写紙の裏面側に当たる場合、その転写紙の裏面側を白紙として排出し次の転写紙の表面側から新たに画像形成を開始する転写紙画像形成制御手段を設けた。
【００１４】
請求項２記載の発明では、更に、原稿束識別情報を認識できなかった原稿を、その原稿の読取り以前に認識した原稿と同一の原稿束識別情報とする識別情報判断手段を設けた。
【００１５】
請求項３記載の発明では、原稿上の特定情報領域に形成された頁単位の情報を与える原稿頁識別情報と、その原稿上の画像データを画素毎に読取る画像データ読取手段と、その読取った前記原稿上の画像データを記憶する画像データ記憶手段と、その記憶された画像データを転写紙に形成する画像形成手段と、その記憶された画像データ中の文字と方向とを認識する画像データ認識手段と、その認識された原稿頁識別情報を原稿の頁単位で記憶する頁情報テーブルと、その記憶された原稿頁識別情報に基づいて画像データ記憶手段に記憶された画像データを前記原稿の頁順に並べ替える原稿頁順並替手段とを画像形成装置内に備えるようにした。
【００１６】
請求項３記載の発明では、更に、原稿上の頁認識領域を選択する頁認識領域選択手段を設けた。
【００１８】
請求項４記載の発明では、原稿上の特定情報領域に形成された原稿束単位及び頁単位の情報を与える原稿束・頁識別情報と、その原稿上の画像データを画素毎に読取る画像データ読取手段と、その読取った原稿上の画像データを記憶する画像データ記憶手段と、その記憶された画像データを転写紙に形成する画像形成手段と、その記憶された画像データ中の文字と方向とを認識する画像データ認識手段と、その認識された原稿束・頁識別情報を原稿の頁単位で記憶する頁情報テーブルと、その記憶された原稿束・頁識別情報に基づいて画像データ記憶手段に記憶された画像データを原稿の原稿束単位及び頁順に並べ替え、かつ、原稿束・頁識別情報を認識できない画像データを原稿束の画像形成終了後の位置又は前記原稿束間の位置に挿入する原稿束・頁順並替手段とを画像形成装置内に備えるようにした。
【００１９】
請求項４記載の発明では、更に、次の原稿束の画像データを画像形成する際、前記原稿束の画像データをその一つ前の原稿束の画像データの出力方向に対して１８０°回転して出力する原稿束回転出力手段を設けたことを特徴とする請求項７記載の画像形成装置。
【００２１】
【作用】
請求項１、２記載の発明においては、原稿束識別情報（例えば、日付）が記載された原稿は、画像データ読取手段により読み取られ、画像データとして頁単位で画像データ記憶手段に記憶され、この記憶された原稿束識別情報は画像データ認識手段により認識されることにより原稿束単位の１つの分類符号として頁情報テーブルに記憶される。そして、その原稿束識別情報に基づいて、前記画像データ記憶手段に記憶された画像データが原稿束単位並替手段により原稿束単位で自動的に並べ替えられる（例えば、日付の古い順に並べ替えられる）。このようにして原稿束単位で並べ替えられた画像データは、画像形成手段によって順次転写紙に転写されていき画像の形成が行われ、これにより、原稿束に対応した転写紙束が原稿束識別情報に従って作成される。
【００２２】
請求項１記載の発明においては、両面コピー時において、原稿束識別情報が異なった原稿、すなわち、原稿束の区切りが転写紙の裏面側に当たる場合、転写紙画像形成制御手段により、その区切りにあたる転写紙の裏面側を白紙にして排出し、次の転写紙から新たに画像形成を開始することによって、原稿束の区切り目、すなわち、文字認識した日付などの変わり目を常に転写紙の一方の面（表面側）に形成することができる。
【００２３】
請求項２記載の発明においては、原稿束識別情報を認識できなかった場合すなわち日付などを認識できなかった場合や、原稿に日付が付いていない場合、識別情報判断手段によりその情報が欠落した原稿を、その読取り以前に認識した原稿と同一の原稿束識別情報とすることによって、順次送られてくる転写紙に欠落なく画像出力を行うことができる。
【００２４】
請求項３記載の発明においては、原稿頁識別情報（すなわち、原稿のページ）が記載された原稿は、画像データ読取手段により読み取られ、画像データとして頁単位で画像データ記憶手段に記憶され、この記憶された原稿頁識別情報は画像データ認識手段により認識されることにより原稿頁単位の１つの分類符号として頁情報テーブルに記憶される。そして、その原稿頁識別情報に基づいて、前記画像データ記憶手段に記憶された画像データが原稿頁順並替手段により頁単位で自動的に並替えられる（すなわち、原稿のページの少ない順に並替えられる）。このようにして頁単位で並替えられた画像データは、画像形成手段によって順次転写紙に転写されていき画像の形成が行われ、これにより、原稿に対応した転写紙が原稿頁識別情報に従って作成される。
【００２５】
請求項３記載の発明においては、頁認識領域選択手段により原稿上の頁認識領域を選択することによって、ぺージ（頁）ナンバーを認識する領域を操作者が任意に指示することができる。
【００２７】
請求項４記載の発明においては、原稿束・頁識別情報（例えば、日付や原稿のページ）が記載された原稿は、画像データ読取手段により読み取られ、画像データとして原稿束単位及び頁単位で画像データ記憶手段に記憶され、この記憶された原稿束・頁識別情報は画像データ認識手段により認識されることにより原稿束単位及び頁単位の１つの分類符号として頁情報テーブルに記憶される。そして、その原稿束・頁識別情報に基づいて、前記画像データ記憶手段に記憶された画像データが原稿束・頁順並替手段により原稿束単位及び頁単位で自動的に並べ替えられる（すなわち、日付が古く、原稿のページの少ない順に並べ替えられる）。このようにして原稿束単位及び頁単位で並べ替えられた画像データは、画像形成手段によって順次転写紙に転写されていき画像の形成が行われ、これにより、原稿に対応した転写紙が原稿束・頁識別情報に従って作成される。
【００２８】
請求項４記載の発明においては、原稿束回転出力手段により原稿束の画像データをその一つ前の原稿束の画像データの出力方向に対して１８０°回転して出力することによって、複数の原稿束に対応した画像形成済みの転写紙束を、原稿束単位で向きを変えて出力することが可能となる。
【００３０】
【実施例】
本発明の第一の実施例を図１〜図１４に基づいて説明する（請求項１，２記載の発明に対応する）。ここでは、画像形成装置として、従来例でも述べたようなＡＤＦ１を備えたデジタル複写機（図３６〜図３９参照）を用いた場合について述べる。なお、その従来例と同一部分についての説明は省略し、その同一部分については同一符号を用いる。
【００３１】
画像処理部４１（図３９参照）の構成を図３に基づいて説明する。この画像処理部４１は、画像データ読取手段としての読取ユニット９と、画像形成手段としての書込ユニット２６と、メモリコントローラ５２と、画像データ記憶手段としての画像メモリ５３と、画像データ認識手段としての文字認識ユニット５４と、ＩＰＵ制御部５５とに大別される。この場合、読取ユニット９は、ＣＣＤ１６（図３７参照）と、Ａ／Ｄコンバータ５６と、シェーディング補正回路５７と、画像処理回路５８と、セレクタ５９とを備えている。
【００３２】
また、ＩＰＵ制御部５５は、ＣＰＵ６０と、ＲＯＭ６１と、ＲＡＭ６２とを備えている。ＣＰＵ６０は、メモリコントローラ５２を介して、画像メモリ５３への画像データの書込みや読出しを行う。ＲＯＭ６１及びＲＡＭ６２は、プログラムやデータなどを記憶する。ここでは、頁情報テーブル（後述する図２の日付情報データエリア６３を参照）や、原稿束単位並替手段、転写紙画像形成制御手段、識別情報判断手段、転写紙束仕切制御手段などがデータやプログラムとして記憶されている。
【００３３】
この場合、頁情報テーブルは、文字認識ユニット５４により認識された原稿束識別情報を原稿３の頁単位で記憶する。原稿束単位並替手段は、その頁情報テーブルに記憶された原稿束識別情報に基づいて画像メモリ５３に記憶された画像データを原稿束単位で並べ替える。転写紙画像形成制御手段は、両面コピー時における原稿束識別情報が異なった原稿３の画像形成が転写紙２１の裏面側に当たる場合、その転写紙２１の裏面側を白紙として排出し次の転写紙２１の表面側から新たに画像形成を開始する。識別情報判断手段は、原稿束識別情報を認識できなかった原稿３を、その読取り以前に認識した原稿と同一の原稿束識別情報とする。転写紙束仕切制御手段は、次の原稿束の画像データを画像形成する際、その画像形成して得られる転写紙束とその一つ前の原稿束に対応する画像形成済みの転写紙束との間に、画像が形成されていない転写紙（合紙６５）を挿入する。なお、これら原稿束単位並替手段、転写紙画像形成制御手段、識別情報判断手段、転写紙束仕切制御手段の具体的な動作については、後述する図７〜図１４のフローの中で詳細に説明する。
【００３４】
次に、原稿束識別情報について説明する。この原稿束識別情報とは、原稿３上の特定情報領域３ａに形成された同一分類符号となる原稿束単位の情報Ａを与えるものである。図１（ａ）に示すように、特定情報領域３ａは、ここでは原稿３の上辺に沿って設けられている。原稿束単位の情報Ａ（以下、原稿束識別情報Ａという）とは、ここでは日付単位の情報（複数枚の原稿３を１単位）を表わすものである。例えば、９４．０８．２４を日付とし、ｐ．１〜ｐ．３の３枚の原稿３を１単位の原稿束▲１▼とする。同様に、９４．０９．０１を日付とし、ｐ．１〜ｐ．２の２枚の原稿３を原稿束▲２▼とする。９４．０５．１６を日付とし、ｐ．１の１枚の原稿３を原稿束▲３▼とする。９５．０５．１７を日付とし、ｐ．１の１枚の原稿３を原稿束▲４▼とする。そして、このように日付が異なりかつ原稿３が複数枚から構成される原稿束（▲１▼〜▲４▼）が、ＡＤＦ１（図３６参照）の原稿台２上にセットされる。そして、このような原稿束識別情報Ａは、ＲＡＭ６２内の頁情報テーブルに格納される。
【００３５】
図２は、ＲＡＭ６２内に設けられる頁情報テーブルとしての日付情報データエリア６３の構成を示す。この日付情報データエリア６３には、原稿束識別情報Ａを表わす原稿束単位の日付情報、すなわち、認識された画像メモリ５３中の画像データに対応する年月日と、各原稿ぺージ毎の画像データのアドレスに対応する原稿ページとが記憶される。日付情報の年月日＝０の部分は原稿３を読み取っていないことを示し、２５５（ＦＦｈ）は文字認識できなかった原稿３を示す。このように画像処理することによって、ＲＡＭ６２の日付情報データエリア６３に、原稿３の原稿束識別情報Ａが記憶されることになる。
【００３６】
このような構成において、以下、本装置の動作を順次説明していく。まず、画像処理部４１における画像処理を、図２及び図３に基づいて説明する。原稿束識別情報Ａが付加された原稿３は、ＡＤＦ１の原稿台２上に図１（ａ）に示すような原稿束▲１▼〜▲４▼の順序で積載されている。そして、図３において、原稿束識別情報Ａが付加された原稿３から反射した光は、読取ユニット９のＣＣＤ１６にて光電変換され、Ａ／Ｄコンバータ１６によりデジタル信号に変換される。このデジタル化された画像信号（画像データ）は、シェーディング補正回路５７によりシェーディング補正がなされた後、画像処理回路５８によりＭＴＦ補正、γ補正、変倍処理等がなされる。このようにして画像処理された画像信号は、セレクタ５９により、書込ユニット２６又はメモリコントローラ５２に切替えられる。セレクタ５９とメモリコントローラ５２との間では、画像信号を双方向に入出力できるようになっている。そのメモリコントローラ５２を介して、画像メモリ５３への画像データの入出力が行われる。ＩＰＵ制御部５５は、メモリコントローラ５２等の設定や、読取ユニット９、書込ユニット２６の制御を行う。また、文字認識ユニット５４は、ＣＰＵ５５にて設定された領域の画像メモリ５３中の所定エリアの文字認識を行う。この認識処理の際、１ぺージ中の４８００×６８００中の指定された領域の文字情報と文字方向とを数値化し、ＣＰＵ６０にその数値化した値を返す。この場合、認識できたときはその値を返し、認識できなかったとは２５５（ＦＦｈ）を値として返す。そして、認識結果は、原稿毎に日付情報がＲＡＭ６２上の日付情報データエリア６３に記憶されることになる。
【００３７】
次に、セレクタ５９における１ページ分の画像信号の処理を、図４及び図５に基づいて説明する。図４中、／ＦＧＡＴＥは、１ページの画像データの副走査方向の有効期間を表わすフレームゲート信号である。／ＬＳＹＮＣは、１ライン毎の主走査同期信号であり、この信号が立ち上がった後の所定クロックで画像信号が有効となる。／ＬＧＡＴＥは、主走査方向の画像信号が有効であることを示すラインゲード信号である。これら各信号は画素同期信号（ＶＣＬＫ）に同期しており、この画素同期信号の１周期に対して１画素８ビット（２５６階調）のデータが送られてくる。本実施例の装置では、転写紙２１への書込密度４００ｄｐｉ、最大画素数は、主走査４８００画素、副走査６８００画素である。また、図５は、そのような／ＦＧＡＴＥと、／ＬＧＡＴＥと、転写紙２１に画像形成される画像領域との関係を示したものである。なお、画像データは２５５に近いほど白画像になるものとする。
【００３８】
次に、画像メモリ５３への入出力処理を図６に基づいて説明する。図６は、４８００×６８００画素の画像メモリ５３に画像データが格納された状態を示す。このような画像メモリ５３への入出力処理は、ＣＰＵ６０にて画像信号（図４参照）に対応した画像領域、動作モードをメモリコントローラ５２に設定し、画像データの入出力を画像バス（図示せず）を通じて制御することによって行うことができる。この場合、画像データは、各画素８ビット（２５６階調）で画像メモリ５３に格納される。
【００３９】
次に、メモリコントローラ５２から出力される画像バスのアドレス生成処理について説明する。画像メモリ５３に出力されるアドレスをＡｄとすると、／ＬＳＹＮＣ又は／ＶＣＬＫによりカウントアップ又はカウントダウンする２個のカウンタＸｃ，Ｙｃ（図示せず）、及び、１ページの画像データの先頭アドレスＡｐとの組合わせによって、アドレス生成を行う。このアドレス生成に対して画像データの入出力処理が行われる。今、入出力されるページをｐとすると、先頭アドレスＡｐは、
Ａｐ＝２０００００ｈ×ｐ
となる。そして、画像入力時においては、カウンタＸｃを／ＶＣＬＫ毎にカウントアップし、／ＬＳＹＮＣでリセットする。また、カウンタＹｃを／ＬＳＹＮＣ毎にカウントアップする。これにより、画像入力時のアドレスＡｄは、
Ａｄ＝Ａｐ＋Ｘｃ＋Ｙｃ×４８００            …（１）
として表わされる。
【００４０】
また、画像出力時においても、カウンタＸｃを／ＶＣＬＫ毎にカウントアップし、／ＬＳＹＮＣでリセットすると共に、カウンタＹｃを／ＬＳＹＮＣ毎にカウントアップすることにより、画像出力時のアドレスＡｄは、（１）式と同様に表わすことができる。
【００４１】
次に、原稿束の並替（原稿束単位並替手段、転写紙画像形成制御手段、識別情報判断手段、転写紙束仕切制御手段）の例を、図７〜図１０のフローに示す画像処理部４１（図３参照）の動作に基づいて説明する。
【００４２】
図７は、待機中にコマンドを受信した場合の処理である。コマンドを受信すると（ｓ１）、そのコマンドが並替コマンドか否かを判断し（ｓ２）、並替コマンドであれば並替モード処理を実行する（ｓ３）。並替コマンドでなければ、読取スタートコマンドか否かを判断し（ｓ４）、読取スタートコマンドであれば画像入力処理を実行する（ｓ５）。読取スタートコマンドでなければ、通常のページ出力スタートコマンド又は表ページ出力スタートコマンドか否かを判断し（ｓ６）、これら出力スタートコマンドのどちらかであれば画像出力処理を実行する（ｓ７）。それら出力スタートコマンドでなければ、裏ペード出力スタートコマンドか否かを判断し（ｓ８）、両面裏ページ出力モードフラグをセットし（ｓ９）、画像出力処理を実行し（ｓ１０）、その後、両面裏ページ出力モードフラグをリセットする（ｓ１１）。このようにして各種処理が実行される。
【００４３】
図８は、並替モード処理のフローを示す。並替モードセットコマンドを受信した場合には（ｓ１２）、並替モードフラグをセットし（ｓ１３）、そのセットコマンドと同時に受信する文字認識領域データをセットする（ｓ１４）。この文字認識領域データとは、図６に示した４８００×６８００画素の１ページの画像メモリ５３内の任意の矩形エリアのことをいう。一方、並替モードリセットコマンドを受信した場合は、並替モードフラグをリセット（解除）する（ｓ１５）。このような処理を行った後、日付情報データエリア６３（図２参照）のデータ内容をクリアする（ｓ１６）。このようにして並替モード処理が実行される。なお、並替モード処理は、操作部４に設けられた並替モードキー６４（図３８参照）を用いて行える。
【００４４】
図９は、画像入力処理のフローを示す。画像データの読取スタートコマンドを受信すると、ＩＰＵ制御部５５はスキャナ（第一，第二キャリッジ）を駆動して原稿３の画像の読取りを行い、画像データを画像メモリ５３に格納する（ｓ１７）。この画像入力が終了すると、並替モードになっている否かを判断し（ｓ１８）、並替モードでなければ読取終了コマンドを発行する（ｓ１９）。並替モードになっていれば、文字認識ユニット５４により、画像メモリ５３内の先に設定されている認識領域の文字認識処理を行い、その認識結果を年、月、日の順に３バイトの変数ｒｄａｔｅに格納する。日付がない場合など認識できなかった場合には、ＦＦｈ、ＦＦｈ、ＦＦｈの値を変数ｒｄａｔｅに格納する（ｓ２０）。このようにして文字認識を終了した後、認識結果（読取情報）を日付情報データエリア６３内に格納する（ｓ２１）。この処理後、読取終了コマンドを発行する（ｓ２２）。図２は、日付情報データエリア６３内に読取情報が格納された状態を示す。このようにして画像入力処理が実行される。
【００４５】
図１０は、並替による画像出力処理のフローを示す。まず、１枚目の画像出力か否かを判断し（ｓ２３）、日付情報データエリア６３の日付情報をＲＡＭ６２上のテンポラリ（作業用）データエリア（図示せず）にコピーする（ｓ２４）。以後の画像出力処理中の日付情報の参照は、そのテンポラリデータエリアに対して行われる。１枚目の画像出力でない場合は、画像出力となるプリントページ番号の変数ｐｐａｇｅの示す原稿ページの次の列の日付情報をチェックし（ｓ２５）、２５５，２５５，２５５の値が格納されていれば、変数ｐｐａｇｅに１を加え、日付比較処理（ｓ３０）の後に移行する（ｓ２６）。
【００４６】
また、前記テンポラリデータエリアへのコピー後、年、月、日の順に検索して、日付情報のうち一番若い原稿３をサーチし、その検索結果の原稿ページの番号をｐｐａｇｅに格納する（ｓ２７，ｓ２８，ｓ２９）。次に、前回の画像データを出力した原稿３の日付と今回の出力値との比較を行い（ｓ３０）、同じ日付でない場合は、合紙要求コマンドを発行する（ｓ３１）。次に、両面裏ページ出力モードか否かを判定し（ｓ３２）、両面裏ページ出力モードであれば、画像データをマスクして画像出力（白紙すなわち合紙６５として出力）を行い（ｓ３３）、ページ出力終了コマンドを発行する（ｓ３４）。また、両面裏ページ出力モードでなければ、前記日付比較処理（ｓ３０）の後に移行する。そして、前回の画像データの出力と同じ日付、又は、両面表コピーモードであれば、ｐｐａｇｅの画像データを出力し（ｓ３５）、ページ出力終了コマンドを発行する（ｓ３６）。次に、テンポラリデータエリア中のｐｐａｇｅの原稿ページの日付情報を０（年），０（月），０（日）にクリアし（ｓ３７）、それら日付情報が全て０，０，０か否かを判定する（ｓ３８）。日付情報が全てクリアされていれば全ての画像データを出力したことになるため、画像出力終了コマンドを発行する（ｓ３９）。このようして画像データを日付情報に基づいて並替えを行って出力することにより画像出力処理が実行される。
【００４７】
次に、原稿束の並替（原稿束単位並替手段、転写紙画像形成制御手段、識別情報判断手段、転写紙束仕切制御手段）の例を、図１１〜図１４のフローに示すメインコントローラ３４（図３９参照）の動作に基づいて説明する。原稿束識別情報Ａが付加された原稿３は、ＡＤＦ１の原稿台２上に図１（ａ）に示すような原稿束▲１▼〜▲４▼の順序で積載されているものとする。なお、第一トレイ１９には原稿３と同一サイズ、同一方向の転写紙２１がセットされ、第二トレイ２０にはその第一トレイ１９の転写紙２１とは別サイズで、セット方向又は色が異なる転写紙がセットされているものとし、置数（画像形成部数）は１とする。
【００４８】
図１１は、並替モード処理のフローを示す。操作部４上の並替モードキー６４が押下されているか否かを判定し（ｓ４０）、そのキーが押下されかつ原稿台２上に原稿３がセットされているとき（ｓ４１）、ＪＯＢ実行フラグがＯＮ状態か否かを判定する（ｓ４２）。このＪＯＢ実行フラグがＯＮ状態すなわち装置が動作中であるとき、キー入力は無効とし、既に並替モードが設定されていればモード設定を解除する。また、ＪＯＢ実行フラグがＯＮ状態でなくすなわち装置が待機中であれば、並替モードフラグが設定されているか否かを判定する（ｓ４３）。待機中で並替モードフラグが設定されていれば、その設定を解除し（ｓ４４）、液晶ディスプレイ４７に設定されたいた表示内容をクリアする（ｓ４５）。待機中で並替モードフラグが設定されていなければ、並替モードフラグを設定し（ｓ４６）、その設定した内容を液晶ディスプレイ４７に表示する（ｓ４７）。このようにして並替モード処理が実行される。
【００４９】
また、並替モードを設定済みの状態で原稿台２上の原稿３が全て除去された場合及びモードクリアキー４５が押された場合は、並替モードを解除する。この他に、両面モードキー４６が押下されたときは、本装置が待機中でかつ両面モードが未設定であれば、両面モードを設定（両面モードフラグをＯＮ）し、液晶ディスプレイ４７に両面モードが設定されたことを示すメッセージを表示する。両面モードが既に設定されているときは、両面モードを解除する。両面モードはモードクリアキー４５によっても解除される（図示せず）。
【００５０】
図１２は、原稿読取処理のフローを示す。スタートキー５が押下された場合（ｓ４８）、ＪＯＢ実行フラグがＯＮか否かを判定する（ｓ４９）。ＪＯＢ実行フラグがＯＮでなければ、ＪＯＢ実行フラグをＯＮにし（ｓ５０）、原稿３が原稿台２上にセットされているか否かを判定する（ｓ５１）。原稿３がセットされていれば、並替モードフラグが設定されているか否かを判定し（ｓ５２）、並替モードフラグが設定されていれば画像処理部４１に並替モードコマンドを送信し（ｓ５３）、ＡＤＦ１の搬送モータ１８をＯＮにして原稿３をコンタクトガラス８上の所定の位置まで給送する（ｓ５４）。この給送後、画像処理部４１に読取スタートコマンドを送信し（ｓ５５）、画像データの読取りが開始される。このようにして原稿読取処理が実行される。なお、ＪＯＢ実行フラグがＯＮ（装置が動作中）の場合は、キー入力は受け付けない。
【００５１】
図１３は、画像形成処理のフローを示す。画像処理部４１から読取終了コマンドを受信した場合（ｓ５６）、ＡＤＦ１の原稿台２に原稿３が残っていることを検知したならば（ｓ５７）、コンタクトガラス８上にある読取り済みの原稿３を排送し再び原稿給送動作を実行し（ｓ５８）、その動作終了後に画像処理部４１へ読取スタートコマンドを送信する（ｓ５９）。原稿台２に原稿３が残っていなければ、コンタクトガラス８上にある読取り済みの原稿３を排送し（ｓ６０）、メインモータ３５をＯＮにし（ｓ６１）、第一トレイ１９にセットされた転写紙２１を第一給紙装置２２によって１枚給紙し、縦搬送ユニット２４にて転写紙２１を感光体２５に当接する位置まで搬送する（ｓ６２）。その後、両面モードフラグが設定されているか否かを判定し（ｓ６３）、両面モードフラグが設定されていなければ画像処理部４１にページ出力スタートコマンドを送信する（ｓ６４）。両面モードフラグが設定されていれば、表面側の画像形成を行うことを示す表面フラグをＯＮにし（ｓ６５）、両面搬送モータ３９をＯＮにすると共に切替ＳＯＬ４０にし（ｓ６６）、画像処理部４１へ表ページ出力スタートコマンドを送信する（ｓ６７）。
【００５２】
また、両面モード設定時は、画像処理部４１が表ページ出力スタートコマンドを受信すると、書込ユニット２６により原稿一枚分の画像データが感光体２５に書込まれ、転写紙２１側に転写される。そして、その転写済みの転写紙２１は、搬送ベルト３０、定着ユニット３１、両面搬送ユニット４９、両面給紙装置５１にて搬送され、両面トレイ５０にスタックされる。両面搬送モータ３９は、転写紙２１を両面トレイ５０にスタックした時点でＯＦＦにする。一方、両面モード未設定時は、画像処理部４１がページ出力スタートコマンドを受信すると、書込ユニット２６により原稿一枚分の画像データが感光体２５に書込まれ、転写紙２１側に転写され、その転写紙２１は搬送ベルト３０、定着ユニット３１、排紙ユニット３２により順次搬送されていき、排紙トレイ３３に排出される。このようにして画像形成処理が実行される。
【００５３】
図１４は、合紙６５を挿入する場合の画像形成処理のフローを示す。ページ出力終了コマンドを受信した場合（ｓ６８）、合紙要求コマンドを受信しているか否かを調べる（ｓ６９）。合紙要求コマンドを受信している場合、切替ＳＯＬ（ｓ７０）をＯＦＦにし、第二給紙装置２３により第二トレイ２０に積載された合紙６５となる転写紙２１を一枚給紙し、画像形成を行わずそのまま排紙トレイ３３に排出する（ｓ７１）。次に、両面モードフラグがセットされているか否かを調べ（ｓ７２）、両面モードでなければ、第一給紙装置２２による給紙動作を行い（ｓ７３）、画像処理部４１にページ出力スタートコマンドを送信する（ｓ７４）。両面モードであれば、表面フラグがセットされている（ＯＮ）か否かを調べる（ｓ７５）。表面フラグがＯＮであれば、表面フラグ及び切替ＳＯＬ４０をＯＦＦにし（ｓ７６，ｓ７７）、両面給紙装置５１により両面トレイ５０内の表面側画像形成済みの転写紙２１を給紙し（両面搬送モータ３９はＯＮ，ｓ７８）、画像処理部４１に裏ページ出力スタートコマンドを送信し（ｓ７９）、転写紙２１の裏面側で画像形成を行う。表面フラグがＯＮではなくＯＦＦであれば、表面フラグをＯＮにし（ｓ８０）、第一給紙装置２２による給紙動作を行うと共に両面搬送モータ３９及び切替ＳＯＬ４０をＯＮにした後（ｓ８１，ｓ８２）、画像処理部４１に表ページ出力スタートコマンドを送信する（ｓ８３）。このようにして合紙６５を挿入した場合における画像形成処理が実行される。
【００５４】
また、合紙要求コマンドを受信していない場合、画像出力終了コマンドを受信しているか否かを調べる（ｓ８４）。画像出力終了コマンドを受信していれば、原稿台２にセットされた全ての原稿３について画像形成を終了したと判断して、メインモータ３５をＯＦＦにし（ｓ８５）、ＪＯＢ実行フラグをＯＦＦにし（ｓ８６）、さらに、並替モードフラグをＯＦＦ及び液晶ディスプレイ４７の表示をクリアし（ｓ８７）、これにより全てのＪＯＢを終了とする。上述したように、図１１〜図１４の各処理に従って実行することによって、図１（ａ）のような日付がバラバラな状態でセットされた原稿束▲１▼〜▲４▼を、図１（ｂ）のような合紙６５（画像が形成されていない転写紙）が挿入された日付順に並替えられた転写紙束として画像出力することができる。
【００５５】
次に、本発明の第二の実施例を図１５〜図２８に基づいて説明する（請求項３記載の発明に対応する）。なお、前述した第一の実施例と同一部分についての説明は省略し、その同一部分については同一符号を用いる。
【００５６】
ＩＰＵ制御部５５内（図３参照）には、頁情報テーブル（後述する図１７のページデータエリア６６を参照）や、原稿頁順並替手段、頁認識領域選択手段、原稿回転出力手段などかデータやプログラムとして記憶されている。
【００５７】
この場合、頁情報テーブルは、文字認識ユニット５４により認識された原稿頁識別情報を原稿３の頁単位で記憶する。原稿頁順並替手段は、その頁情報テーブルに記憶された原稿頁識別情報に基づいて画像メモリ５３に記憶された画像データを原稿３の頁順に並べ替える。頁認識領域選択手段は、原稿３上の頁認識領域を選択する。この頁認識領域とは、原稿面３上の文字面以外の上下左右の側辺に原稿ページなどが形成される領域（例えば、後述する特定情報領域３ａに相当する）をいう。原稿回転出力手段は、原稿３が上下逆向きにセットされていることを文字認識ユニット５４により認識した場合、画像メモリ５３に記憶された原稿３の画像データを１８０°回転させて出力する。なお、これら原稿頁順並替手段、頁認識領域選択手段、原稿回転出力手段の具体的な動作については、後述する図１８〜図２８のフローの中で詳細に説明する。
【００５８】
ここで、原稿頁識別情報を図１５（ａ）に基づいて説明する。この原稿頁識別情報とは、原稿３上の特定情報領域３ａに形成された頁単位の情報Ｂを与えるものである。図１５（ａ）に示すように、特定情報領域３ａは、ここでは原稿３の上辺右角に沿って設けられている。頁単位の情報Ｂ（以下、原稿頁識別情報Ｂという）とは、ここでは原稿単位の情報を表わすものである。そして、このような原稿頁識別情報Ｂは、前記ＲＡＭ６２内の前記頁情報テーブルに格納される。
【００５９】
図１７は、ＲＡＭ６２内に設けられる頁情報テーブルとしてのページデータエリア６６の様子を示す。このページデータエリア６６には、原稿頁識別情報Ｂを表わす原稿頁単位の日付情報、すなわち、認識された画像メモリ５３中の画像データに対応するページ情報及び回転情報と、各原稿ぺージ毎の画像データのアドレスに対応する原稿ページとが記憶される。ページ情報＝０の部分は原稿３を読み取っていないことを示し、文字認識できなかった原稿３はＦＦｈとして示す。
【００６０】
回転情報＝０は回転無しを認識し、回転情報＝１は原稿３の逆転（１８０°回転）を認識したことを示す。このように画像処理することによって、図１７に示すように、ＲＡＭ６２のページデータエリア６６に、原稿３の原稿頁識別情報Ｂが記憶されることになる。
【００６１】
このような構成において、以下、本装置の動作を順次説明していく。まず、画像メモリ５３への入出力処理について説明する。画像メモリ５３は、メモリコントローラ５２にて通常の画像入出力処理に加え、画像出力処理の際に、１８０°回転した画像出力を得ることが可能である。この画像メモリ５３への入出力処理は、ＣＰＵ６０にて画像信号（図４参照）に対応した画像領域、動作モードをメモリコントローラ５２に設定し、画像データの入出力を画像バス（図示せず）を通じて制御することにより行える。この場合、画像データは、各画素８ビット（２５６階調）で画像メモリ５３に格納される。
【００６２】
次に、メモリコントローラ５２から出力される画像バスのアドレス生成処理について説明する。画像入力時のアドレスＡｄは、前述した第一の実施例の（１）式と同様に表わすことができる。また、画像出力時においては、カウンタＸｃを／ＶＣＬＫ毎にカウントアップし、／ＬＳＹＮＣでリセットし、また、カウンタＹｃを／ＬＳＹＮＣ毎にカウントアップすることにより、画像出力時（回転無し）のアドレスＡｄは、
Ａｄ＝Ａｐ＋Ｘｃ＋Ｙｃ×４８００                          …（２）
として表わすことができる。また、画像出力時（１８０°回転）のアドレスＡｄは、
Ａｄ＝Ａｐ＋４８００＋Ｘｃ＋（６８００＋Ｙｃ）×４８００  …（３）
として表わすことができる。なお、セレクタ５９における１ページ分の画像信号の処理は前記第一の実施例と同様である。
【００６３】
次に、原稿頁の並替（原稿頁順並替手段、頁認識領域選択手段、原稿回転出力手段）の例を、図１８〜図２１のフローに示す画像処理部４１（図３参照）の動作に基づいて説明する。
【００６４】
図１８は、待機中にコマンドを受信した場合におけるコマンド受信処理のフローを示す。コマンドを受信すると（ｓ８８）、並替コマンドか画像入力コマンドか画像出力コマンド（ｓ８９〜ｓ９１）を判定し、それぞれのコマンドに応じて、並替モード処理、画像入力処理、画像出力処理（ｓ９２〜ｓ９４）が選択され実行される。
【００６５】
図１９は、並替モード処理のフローを示す。並替モードセットコマンドを受信した場合は（ｓ９５）、並替モードフラグをセットし（ｓ９６）、そのセットコマンドと同時に受信する文字認識領域データをセットする（ｓ９７）。この文字認識領域データとは、一方、並替モードリセットコマンドを受信した場合は、並替モードフラグをリセットする（ｓ９８）。これら両方の処理を行った後、画像入力／出力するページ情報の変数（ｍａｘｐａｇｅ，ｏｕｔｐａｇｅ）をリセット（クリア）する（ｓ９９）。このようにして並替モード処理が実行される。
【００６６】
図２０は、画像読取／頁認識処理のフローを示す。画像読取コマンドを受信すると、読取ページを示すｍａｘｐａｇｅに１を加え（ｓ１００）、画像処理部４１はスキャナを駆動させ、画像データを画像メモリ５３に格納する（ｓ１０１）。画像入力が終了すると、並替モードか否かの判定をし（ｓ１０２）、並替モードでなければ、読取終了コマンドをメインコントローラ３４に発行する（ｓ１０３）。並替モードのときは、文字認識ユニット５４において、先に設定されている領域の文字認識を行い、その認識結果（ページ情報）をｒｐａｇｅに格納する（ｓ１０４）。このとき。認識できなかったときは、ｒｐａｇｅにＦＦｈの値が格納される。次に、そのｒｐａｇｅに格納される値がＦＦｈか否かを判定し（ｓ１０５）、ＦＦｈ以外の値であれば、回転フラグｆｌｇ＿ｒｏｔに０をセットする（ｓ１０６）。ｒｐａｇｅがＦＦｈの値であれば、原稿３上の認識する領域を１８０°回転させ（ｓ１０７）、ｒｐａｇｅの値がＦＦｈか否かを再度文字認識する（ｓ１０８）。文字認識できた場合は、回転フラグｆｌｇ＿ｒｏｔに１をセットする（ｓ１０９）。このようにして文字認識を終了した後、読取情報をページデータエリア６６に格納する（ｓ１１０）。図１７はページデータエリア６６に格納される内容を示し、原稿ページ＝ｍａｘｐａｇｅの領域に、ページ情報（ページ認識値）ｒｐａｇｅと、回転情報ｆｌｇ＿ｒｏｔが格納される。その後、読取終了コマンドが発行される（ｓ１１１）。このようにして、画像読取／頁認識処理が実行される。
【００６７】
図２１は、画像出力処理のフローを示す。画像出力コマンドを受信すると、画像メモリ５３のｏｕｔｐａｇｅに１を加え（ｓ１１２）、並替モードか否かが判定される（ｓ１１３）。並替モードでなければ、ｏｕｔｐａｇｅの画像データを出力し画像形成する（ｓ１１４）。並替モードのときは、ページカウンタｐｐａｇｅをクリアし、１から順にカウントアップしていき、ｐｐａｇｅ＝ｏｕｔｐａｇｅとなるページデータエリア６６を検索する（ｓ１１５〜ｓ１１７）。その検索値が一致した場合には、そのページの回転情報の値を調べ（ｓ１１８）、その内容に従って画像データを１８０°回転又はそのままの無回転で出力し画像形成を行う（ｓ１１９，ｓ１２０）。この画像形成終了後、ｏｕｔｐａｇｅとｍａｘｐａｇｅの値を比較し（ｓ１２１）、比較値が一致したときは最終ページを画像出力したことになることから、ページ出力終了コマンドと画像出力終了コマンドを発行し（ｓ１２２，ｓ１２３）する。また、比較値が一致せず最終ページでなければ、ページ出力コマンドのみを発行する（ｓ１２４）。このようにして画像出力処理が実行される。
【００６８】
次に、原稿頁の並替（原稿頁順並替手段、頁認識領域選択手段、原稿回転出力手段）の例を、図２２〜図２８のフロー等に示すメインコントローラ３４（図３９参照）の動作に基づいて説明する。原稿頁識別情報Ｂが付加された原稿３は、図１５（ａ）に示す原稿頁ｐ．１〜ｐ．３の順序で原稿台２上に積載されているものとする。
【００６９】
まず、原稿頁順並替手段の一例を図２２〜図２５のフローに基づいて説明する。図２２は、並替モード処理のフローを示す。操作部４の並替モードキー６４が押され、原稿台２上に図１５（ａ）に示すような状態で原稿３がセットされているときには（ｓ１２５〜ｓ１２６）、ＪＯＢ実行フラグがＯＮか否かを判定する（ｓ１２７）。ＪＯＢ実行フラグがＯＮであれば、キー入力は無効とし、既に並替モードが設定されていればモード設定を解除する。ＪＯＢ実行フラグがＯＮではなく装置が待機中であれば、並替モードが設定されているか否かを判定する（ｓ１２８）。並替モードが設定されていない状態であれば、並替モードフラグを設定し、液晶ディスプレイ４７にメッセージを表示する（ｓ１２９，ｓ１３０）。並替モードが設定されていれば、並替モードフラグを解除し、液晶ディスプレイ４７の表示内容をクリアする（ｓ１３１，ｓ１３２）。また、この他に、並替モード設定済みの状態で、原稿台２上の原稿３が全て除去された場合及びモードクリアキー４５が押された場合は、並替予約モードを解除する（図示せず）。このようにして並替モード処理が実行される。
【００７０】
図２３は、原稿読取処理のフローを示す。スタートキー５が押下された場合（ｓ１３３）、ＪＯＢ実行フラグがＯＮでなければ、ＪＯＢ実行フラグをＯＮにする（ｓ１３４，１３５）。原稿３が原稿台２上にセットされかつ並替モードフラグが設定されていれば（ｓ１３６，１３７）、画像処理部４１に並替モードコマンドを送信し（ｓ１３８）、ＡＤＦ１の搬送モータ１８をＯＮにして原稿３をコンタクトガラス８上の所定の位置まで給送し（ｓ１３９）、画像処理部４１に読取スタートコマンドを送信して画像データの読取りが開始される（ｓ１４０）。このようにして原稿読取処理が実行される。なお、ＪＯＢ実行フラグがＯＮ（装置が動作中）の場合は、キー入力は受け付けない。
【００７１】
図２４は、画像形成処理▲１▼のフローを示す。画像処理部４１から読取終了コマンドを受信した場合（ｓ１４１）、原稿台２に原稿３が残っているか否かを判定する（ｓ１４２）。原稿３が残っていればコンタクトガラス８上にある読取り済みの原稿３を排送し再度原稿給送動作を行い（ｓ１４３）、その動作後に画像処理部４１に読取スタートコマンドを送信する（ｓ１４４）。原稿３が残っていなければ、コンタクトガラス８上にある読取り済みの原稿３を排送し（ｓ１４５）、メインモータ３５をＯＮにし（ｓ１４６）、原稿サイズにより選択されたトレイの転写紙２１に対応する給紙装置によって一枚給紙し、縦搬送ユニット２４にて転写紙２１を感光体２５に当接する位置まで搬送する（ｓ１４７）。その後、画像処理部４１にページ出力スタートコマンドを送信する（ｓ１４８）。また、この他に、画像処理部４１がページ出力スタートコマンドを受信すると、書込ユニット２６により原稿一枚分の画像データが感光体２５に書き込まれ、この感光体２５から転写紙２１に転写され、この転写済みの転写紙２１は搬送ユニット３０、定着ユニット３１、排紙ユニット３２により搬送され排紙トレイ３３に排出される（図示せず）。このようにして画像形成処理▲１▼が実行される。
【００７２】
図２５は、画像形成処理▲２▼のフローを示す。画像処理部４１からページ出力終了コマンドを受信した場合（ｓ１４９）、画像出力終了コマンドを受信したか否かを判定する（ｓ１５０）。画像出力終了コマンドを受信していなければ、転写紙２１を給紙・搬送し（ｓ１５１）、画像処理部４１にページ出力スタートコマンドを送信し、画像形成動作を続行する（ｓ１５２）。また、画像出力終了コマンドを受信していれば、原稿台２にセットされた全ての原稿３について画像形成を終了した判断し、メインモータ３５をＯＦＦとし（ｓ１５３）、ＪＯＢ実行フラグをＯＦＦとし（ｓ１５４）、さらに、並替モードフラグをＯＦＦ、液晶ディスプレイ４７の表示内容をクリアし、ＪＯＢを終了する（ｓ１５５）。図１５（ａ）は原稿台２上に不揃いの状態でセットされた原稿３を示し、図１５（ｂ）は排紙トレイ３３上に全てページ順に配列され排紙された転写紙２１の様子を示す。このようにして画像形成処理▲２▼が実行される。
【００７３】
また、頁認識領域選択手段の一例を、図２６〜図２８に基づいて説明する。図２６は、画像形成処理▲３▼のフローを示す。並替モードキー６４が押下され、原稿台２に原稿３がセットされている状態のとき（ｓ１５６〜ｓ１５８）、装置が動作中（ＪＯＢ実行フラグがＯＮ）であれば、キー入力は無効とする（ｓ１５９）。並替モードフラグが設定されているか否かを判定し（ｓ１６０）、装置が待機中で並替モードフラグが設定されていれば、並替モードフラグを解除し、ディスプレイ表示内容をクリアする（ｓ１６１，１６２）。装置が待機中で並替モードフラグが設定されていなければ、並替モードが選択され、認識領域設定待機状態を示す受付中フラグをＯＮにし、液晶ディスプレイ４７にメッセージを表示する（ｓ１６３，１６４）。図２７（ａ）は、並替モードが選択されたときのメッセージ表示内容を示す。この例では、１〜８の８種類の頁認識領域（以下、認識領域６７という）を選択することができる。
【００７４】
この認識領域６７の指定はテンキー４２により行うことができる。この場合、エンターキー４４が押下された時点で、並替モード及び認識領域６７が設定されたと判断し、テンキー４２により入力された数字に対応する認識領域データをメモリに格納し、その内容を液晶ディスプレイ４７にメッセージとして表示する（ｓ１６５，１６６）。図２７（ｂ）は、テンキー４２にて認識領域データ「１」が入力されたことを示す。そして、並替モードが設定されていることを示す並替モードフラグをＯＮにし、受付中フラグをＯＦＦにする（ｓ１６７，ｓ１６８）。なお、受付中フラグのＯＮ時には並替モードキー６４の入力は受付ない。このようにして画像形成処理▲３▼が実行される。
【００７５】
図２８は、画像形成処理▲４▼のフローを示す。今、スタートキー５が押下された場合、待機中であれば、ＪＯＢ実行フラグをＯＮにする（ｓ１６９〜１７１）。そして、原稿３が原稿台２にセツトされかつ並替モードフラグが設定されていれば、画像処理部４１に並替モードコマンド及び認識領域データを送信する（ｓ１７２〜ｓ１７４）。さらに、ＡＤＦ１の搬送モータ１８をＯＮにして原稿３をコンタクトガラス８上の所定位置まで給送し（ｓ１７５）、画像処理部４１に読取スタートコマンドを送信し（ｓ１７６）、画像データの読取りを開始する。なお、装置の動作中（ＪＯＢ実行フラグＯＮ）は、キー入力は受付けない。図１６（ａ）のページが不揃いの原稿３は、図１６（ｂ）の転写紙２１に示すように全てページ順に整列されて出力される。このようにして画像形成処理▲４▼が実行される。
【００７６】
また、原稿回転出力手段の一例を、図２８に基づいて説明する。メインコントローラ３４の動作は、前記頁認識領域選択手段の説明と同様にして行う。今、画像処理部４１に並替モードコマンド及び認識領域データを送信すると、画像処理部４１側は、原稿３上の指定された領域（例えば、図２７（ｂ）参照）のページナンバーを認識する。その指定された領域においてページナンバーを認識できない原稿３については、原稿３上の１８０°回転した領域のページナンバーを認識し、その原稿３の画像データとしては１８０°回転して読出し、書込みを実行する。図１６（ａ）は原稿台２上にセットされた原稿３（１８０°方向が異なる原稿を含む）を示し、図１６（ｂ）は排紙トレイ３３上に全て同方向にページ順に配列され排紙された転写紙２１の様子を示す。このようにして画像形成処理▲４▼が実行される。
【００７７】
次に、本発明の第三の実施例を図２９〜図３５に基づいて説明する（請求項４記載の発明に対応する）。なお、前記各実施例と同一部分についての説明は省略し、その同一部分については同一符号を用いる。
【００７８】
ＩＰＵ制御部５５内（図３参照）には、頁情報テーブル（後述する図３０，図３１のページデータエリア６８を参照）や、原稿束・頁順並替手段、原稿束回転出力手段、転写紙束仕切制御手段などかデータやプログラムとして記憶されている。
【００７９】
この場合、頁情報テーブルは、文字認識ユニット５４により認識された原稿束・頁識別情報を原稿３の頁単位で記憶する。原稿束・頁順並替手段は、その頁情報テーブルに記憶された原稿束・頁識別情報に基づいて画像メモリ５３に記憶された画像データを原稿３の頁順に並べ替え、かつ、原稿束・頁識別情報を認識できない画像データを原稿束の画像形成終了後の位置又は原稿束間の位置に挿入する。原稿束回転出力手段は、次の原稿束の画像データを画像形成する際、原稿束の画像データをその一つ前の原稿束の画像データの出力方向に対して１８０°回転して出力する。転写紙束仕切制御手段は、前述した第一の実施例の転写紙束仕切制御手段と同様である。なお、これら原稿束・頁順並替手段、原稿束回転出力手段、転写紙束仕切制御手段の具体的な動作については、後述する図３４〜図４０のフローの中で詳細に説明する。
【００８０】
ここで、原稿束・頁識別情報を図２９（ａ）に基づいて説明する。この原稿頁識別情報とは、原稿３上の特定情報領域３ａに形成された頁単位の情報Ｃを与えるものである。図２９（ａ）に示すように、特定情報領域３ａは、ここでは原稿３の上辺右角に沿って設けられている。頁単位の情報Ｃ（以下、原稿束・頁識別情報Ｃという）とは、ここでは原稿束単位の情報を表わすものである。そして、このような原稿束・頁識別情報Ｃは、前記ＲＡＭ６２内の前記頁情報テーブルに格納される。
【００８１】
図３０，図３１は、ＲＡＭ６２内に設けられる頁情報テーブルとしてのページデータエリア６８の様子を示す。このページデータエリア６８には、原稿束・頁識別情報Ｃを表わす原稿頁単位の日付情報、すなわち、認識された画像メモリ５３中の画像データに対応するページ情報及び回転情報と、各原稿ぺージ毎の画像データのアドレスに対応する原稿ページとが記憶される。ページ情報＝０の部分は原稿３を読み取っていないことを示し、文字認識できなかった原稿３はＦＦｈとして示す。回転情報＝０は回転無しを認識し、回転情報＝１は原稿３の逆転（１８０°回転）を認識したことを示す。このように画像処理することによって、図３０，図３１に示すように、ＲＡＭ６２のページデータエリア６８に、原稿３の原稿束・頁識別情報Ｃが記憶されることになる。
【００８２】
このような構成において、以下、本装置の動作を順次説明していく。なお、画像メモリ５３への入出力処理、メモリコントローラ５２から出力される画像バスのアドレス生成処理、セレクタ５９における１ページ分の画像信号の処理は、前述した第二の実施例と同様である。
【００８３】
まず、原稿頁の並替（原稿束・頁並替手段、原稿束回転出力手段、転写紙束仕切制御手段）の例を、図３２〜図３４のフローに示す画像処理部４１（図３参照）の動作に基づいて説明する。ただし、待機中にコマンドを受信した場合のコマンド受信処理は前記図１８（ｓ８８〜ｓ９４）のフローと同様に実行され、並替モード処理は前記図１９（ｓ９５〜ｓ９９）のフローと同様に実行される。
【００８４】
図３２は、画像読取／頁認識処理のフローを示す。画像読取コマンドを受信すると、読取ページを示すｍａｘｐａｇｅに１を加え、画像処理部４１はスキャナを駆動させ、画像データを画像メモリ５３に格納する（ｓ１７７〜ｓ１７８）。そして、並替モードか否かの判定をし（ｓ１７９）、並替モードでなければ、ｍａｘｐａｇｅに１を加えた値をｏｕｔｐａｇｅの値とし、読取終了コマンドを発行する（ｓ１９１〜ｓ１９２）。また、並替モードであれば、文字認識ユニット５４にて先に設定されている領域の文字認識を行い、その認識結果（ページ情報）をｒｐａｇｅに格納し、回転フラグｆｌｇ＿ｒｏｔに０をセットする（ｓ１７９〜ｓ１８２）。認識できなければｒｐａｇｅにＦＦｈを格納し、原稿３上の認識する領域を１８０°回転させ（ｓ１８３）、再度文字認識を行い（ｓ１８４）、回転フラグに１をセットする（ｓ１８５）。
【００８５】
このような文字認識を終了した後、読取情報をページデータエリア６８に格納する（図３０参照）。そして、ｙｐａｇｅ＝０でかつ既に同じ認識結果がｒｐａｇｅに格納されていなければ、格納する内容は原稿ページ＝ｍａｘｐａｇｅの情報エリアにページ認識値ｒｐａｇｅ，回転フラグｆｌｇ＿ｒｏｔを格納する（ｓ１８６，１８７）。ｙｐａｇｅ＝０でかつ既に同じ認識結果がｒｐａｇｅに格納されている場合、そのときのｍａｘｐａｇｅの値をｙｐａｇｅに格納し、ｒｐａｇｅの値を新たにｒｐａｇｅ＋ｙｐａｇｅとする（ｓ１８６〜ｓ１８９）。また、ｙｐａｇｅが０でないときは、毎回ｒｐａｇｅの値を新たにｒｐａｇｅ＋ｙｐａｇｅとし、ページデータエリア６８に新ページ認識値ｒｐａｇｅと回転フラグｆｌｇ＿ｒｏｔを格納する（ｓ１８６，ｓ１８９）。この場合、ｙｐａｇｅは、原稿束が変わったことを表わしている。この一連の処理は、見かけ上、連続した一つの（続き番号の）原稿束として画像形成の動作が行われる。
【００８６】
また、図３３に示す画像読取／頁認識処理では、新ｒｐａｇｅを設定した後（ｓ１８９）、回転フラグｆｌｇ＿ｒｏｔを反転させる（ｓ１９３）。そして、図３１に示すようにページデータエリア６８への格納後、ｏｕｔｐａｇｅにｍａｘｐａｇｅ＋１の値を格納し、読取終了コマンドを発行する（ｓ１９１，ｓ１９２）。このようにして画像読取／頁認識処理が実行される。
【００８７】
図３４は、画像出力処理のフローを示す。画像出力コマンドを受信すると、まず、ｏｕｔｐａｇｅの値を１だけデクリメントする（ｓ１９４）。このようにデクリメントするのは、装置が転写紙２１を表面排出するため、最終ページから画像形成する必要があるためである。そして、並替モードであれば、ページカウンタｐｐａｇｅを１から順にカウントアップしてｐｐａｇｅ＝ｏｕｔｐａｇｅとなるページデータエリア６８を検索する（ｓ１９５，ｓ１９８〜ｓ２００）。なお、並替モードであることを確認後、ｏｕｔｐａｇｅ＝ｙｐａｇｅであれば、１原稿束画像形成終了として、合紙コマンドを発行する（ｓ１９６，１９７）。
【００８８】
そして、ｐｐａｇｅとｏｕｔｐａｇｅが一致しかつｐｐａｇｅに一致するｒｐａｇｅがあれば、そのページの回転情報に従って画像データを出力する（ｓ２０１，ｓ２０２）。すなわち、回転フラグｆｌｇ＿ｒｏｔが１でなければ画像データを出力し（ｓ２０３）、回転フラグｆｌｇ＿ｒｏｔが１であれば画像データを１８０°回転して出力する（ｓ２０４）。また、ｐｐａｇｅに一致するｒｐａｇｅがないときは、未出力のｒｐａｇｅ＝ＦＦｈの画像データで最もアドレスの大きい画像データを出力する（ｓ２０５）。一方、並替モードでなければ、画像メモリ５３の画像データを出力する（ｓ２０７）。このようにして画像データを出力した後、ページ出力コマンドを発行し（ｓ２０６）、ｏｕｔｐａｇｅ＝１すなわち全ての画像データ出力が終了していれば、画像出力終了コマンドを発行する（ｓ２０６〜ｓ２０９）。このようにして画像出力処理が実行される。
【００８９】
次に、原稿頁の並替（原稿束・頁並替手段、原稿束回転出力手段、転写紙束仕切制御手段）の例を、図３５のフローに示すメインコントローラ３４（図３参照）の動作に基づいて説明する。原稿束・頁識別情報Ｃが付加された原稿束▲１▼，▲２▼は、図２９（ａ）に示すように、原稿頁の順序が不揃いの状態で、原稿台２上に矢印方向に沿って下から上に順次積載されているものとする。
【００９０】
メインコントローラ３４による原稿束・頁並替手段、原稿束回転出力手段の説明については、前記図２２〜図２５のフローと同様にして行うことができる（ただし、ここでは、原稿束単位の処理として扱っている）。すなわち、原稿束・頁単位並替手段を用いて、画像メモリ５３に記憶された画像データを、原稿３上に形成された原稿束・頁識別情報Ｃ（例えば、日付や原稿のページ）に基づいて、原稿束単位及び頁単位で並替えを行い、この並替えられた順に従って画像データを転写紙２１に転写し画像形成を行うことによって、図２９（ｂ）に示すように、原稿３を原稿束単位及び頁単位に対応する転写紙２１の転写紙束単位及び頁単位で区別して出力することができ、仕分け作業を容易に行える。
【００９１】
また、次の原稿束の画像データを画像形成する際、原稿束回転出力手段を用いて、その一つ前の原稿束の画像データの出力方向に対して１８０°回転して出力することによって、図２９（ｃ）に示すように、画像形成済みの転写紙２１を原稿束単位で向きを変えて出力することができ、転写紙束単位の仕分け作業を容易に行える。
【００９２】
図３５は、転写紙束仕切制御手段の一例である合紙処理のフローを示す。メインコントローラ３４が画像処理部４１から合紙コマンドを受信すると（ｓ１９３）、排紙トレイ３３（又はＡＤＦ１のトレイ）に積載されている転写紙２１とはサイズ、色、積載方向のいずれかが異なる転写紙２１が積載されているトレイから転写紙２１を１枚合紙６５として給紙し、画像形成せずに排出した後、次の原稿束に対応した画像形成を行う（ｓ１９４）。このように次の原稿束の画像データを画像形成する際、転写紙束仕切制御手段を用いて、その原稿束に対応する転写紙束とその一つ前の原稿束に対応する転写紙束との間に合紙６５を挿入することによって、図２９（ｄ）に示すように、画像形成済みの転写紙２１を原稿束単位で区切って出力することが可能となり、仕分け作業を容易に行える。
【００９３】
【発明の効果】
請求項１、２記載の発明は、原稿上に形成された同一分類符号となる原稿束単位の原稿束識別情報を頁情報テーブルに記憶させ、この原稿束識別情報に基づいて、画像データ記憶手段に記憶された画像データを原稿束単位並替手段を用いて原稿束単位で並替えを行い、この並替えられた順に従って画像データを転写紙に転写し画像形成を行うようにしたので、原稿を原稿束単位に対応する転写紙束単位で区別して出力することが可能となり、これにより、仕分け作業が容易で生産性（作業効率）に優れた画像形成装置を提供することができる。
【００９４】
請求項１記載の発明は、両面コピー時において、原稿束識別情報が異なった原稿の画像形成が転写紙の裏面側に当たる場合、転写紙画像形成制御手段により、その転写紙の裏面側を白紙として排出し次の転写紙から新たに画像形成を開始するようにしたので、原稿束の区切り目に当たる先頭の転写紙に、常に原稿束を区別する日付情報などを提示することができ、これにより、仕分け作業を一段と効率良く行うことができる。
【００９５】
請求項２記載の発明は、原稿束識別情報を認識できなかった原稿を、識別情報判断手段によりその読取り以前に認識した原稿と同一の原稿束識別情報とするようにしたので、その認識できなかった原稿をその直前の認識できた原稿のうちの１枚として処理することができ、これにより、画像出力結果の欠落を防止して一段とスムーズな仕分け作業を行うことができる。
【００９６】
請求項３記載の発明は、原稿上に形成された同一分類符号となる原稿頁単位の原稿頁識別情報を頁情報テーブルに記憶させ、この原稿頁識別情報に基づいて、画像データ記憶手段に記憶された画像データを原稿頁単位並替手段を用いて頁単位で並替えを行い、この並替えられた順に従って画像データを転写紙に転写し画像形成を行うようにしたので、原稿を原稿頁単位に対応する転写紙の頁単位で区別して出力することが可能となり、これにより、仕分け作業が容易で生産性（作業効率）に優れた画像形成装置を提供することができる。
【００９７】
請求項３記載の発明は、頁認識領域選択手段により原稿上の頁認識領域を選択するようにしたので、操作者がその頁認識領域を任意に指示することが可能となり、これにより、多種の原稿に対応することができ、かつ、誤認識の低下を図ることができる。
【００９９】
請求項４記載の発明は、原稿上に形成された同一分類符号となる原稿束単位及び頁単位の原稿束・頁識別情報を頁情報テーブルに記憶させ、この原稿束・頁識別情報に基づいて、画像データ記憶手段に記憶された画像データを原稿束・頁単位並替手段を用いて原稿束単位及び頁単位で並替えを行い、この並替えられた順に従って画像データを転写紙に転写し画像形成を行うようにしたので、原稿を原稿束単位及び頁単位に対応する転写紙の転写紙束単位及び頁単位で区別して出力することが可能となり、これにより、仕分け作業が一段と容易で生産性（作業効率）に優れた画像形成装置を提供することができる。
【０１００】
請求項４記載の発明は、次の原稿束の画像データを画像形成する際、原稿束回転出力手段によりその一つ前の原稿束の画像データの出力方向に対して１８０°回転して出力するようにしたので、画像形成済みの転写紙を原稿束単位で向きを変えて出力することができ、これにより、仕分け作業を一段と容易に行うことができる。
【図面の簡単な説明】
【図１】本発明の第一の実施例を示すものであり、（ａ）は原稿束識別情報を有する原稿が原稿束単位でセットされた給紙前の積載状態を示す斜視図、（ｂ）は転写紙が原稿束識別情報に従って転写紙束単位で排紙トレイに排出された状態を示す斜視図である。
【図２】画像メモリの内容に対応するＲＡＭ内の日付情報データエリアの様子を示す模式図である。
【図３】画像処理部の構成を示すブロック図である。
【図４】画像信号に対応した各種信号の動作モードを示すタイミングチャートである。
【図５】／ＦＧＡＴＥ、／ＬＧＡＴＥの信号に対応して転写紙に形成される画像領域を示す模式図である。
【図６】画像データの画像メモリへの格納状態を示す模式図である。
【図７】コマンド受信処理を示すフローチャートである。
【図８】並替モード処理を示すフローチャートである。
【図９】画像入力処理を示すフローチャートである。
【図１０】画像出力処理を示すフローチャートである。
【図１１】並替モード処理を示すフローチャートである。
【図１２】原稿読取処理を示すフローチャートである。
【図１３】画像形成処理を示すフローチャートである。
【図１４】合紙要求処理を備えた画像形成処理を示すフローチャートである。
【図１５】本発明の第二の実施例を示すものであり、（ａ）は原稿頁識別情報を有する原稿がセットされた給紙前の積載状態を示す斜視図、（ｂ）は転写紙が原稿頁識別情報に従って排紙トレイに排出された状態を示す斜視図である。
【図１６】（ａ）は原稿頁識別情報を有する原稿が逆転向きにセットされた給紙前の積載状態を示す斜視図、（ｂ）は画像データを１８０°回転して出力させた場合の転写紙の積載状態を示す斜視図である。
【図１７】画像メモリの内容に対応するＲＡＭ内のページデータエリアの様子を示す模式図である。
【図１８】コマンド受信処理を示すフローチャートである。
【図１９】並替モード処理を示すフローチャートである。
【図２０】画像処理／頁認識処理を示すフローチャートである。
【図２１】画像出力処理を示すフローチャートである。
【図２２】並替モード処理を示すフローチャートである。
【図２３】原稿読取処理を示すフローチャートである。
【図２４】画像形成処理▲１▼を示すフローチャートである。
【図２５】画像形成処理▲２▼を示すフローチャートである。
【図２６】画像形成処理▲３▼を示すフローチャートである。
【図２７】（ａ）は認識領域を選択して設定する様子を示す模式図、（ｂ）はその設定された認識領域を確認する様子を示す模式図である。
【図２８】画像形成処理▲４▼を示すフローチャートである。
【図２９】（ａ）は原稿束・頁識別情報を有する原稿束が逆向きにセットされた給紙前の積載状態を示す斜視図、（ｂ）は画像データを１８０°回転して全て同一方向に揃えて出力させた場合の転写紙束の積載状態を示す斜視図、（ｃ）は転写紙束単位で出力方向を１８０°回転して出力させた場合の積載状態を示す斜視図、（ｄ）は転写紙束間に合紙を挿入して出力させた場合の積載状態を示す斜視図である。
【図３０】画像メモリの内容に対応するＲＡＭ内のページデータエリアの様子を示す模式図である。
【図３１】図３０のページデータエリアにおける回転フラグを反転して出力させた場合の様子を示す模式図である。
【図３２】画像読取／頁認識処理を示すフローチャートである。
【図３３】回転フラグ反転処理を備えた画像読取／頁認識処理を示すフローチャートである。
【図３４】画像出力処理を示すフローチャートである。
【図３５】合紙処理を示すフローチャートである。
【図３６】ＡＤＦを備えた画像形成装置の全体構成を示す縦断面図である。
【図３７】読取ユニット及び書込ユニットの構成を示す縦断面図である。
【図３８】操作部の構成を示す正面図である。
【図３９】画像形成装置のシステム構成を示すブロック図である。
【符号の説明】
３                      原稿
３ａ                    特定情報領域
９                      画像データ読取手段
２１                    転写紙
２６                    画像形成手段
５３                    画像データ記憶手段
５４                    画像データ認識手段
６３，６６，６８        頁情報テーブル
Ａ                      原稿束識別情報
Ｂ                      原稿頁識別情報
Ｃ                      原稿束・頁識別情報
【図１】
0003563814.tif 000002
【図２】
0003563814.tif 000003
【図３】
0003563814.tif 000004
【図４】
0003563814.tif 000005
【図５】
0003563814.tif 000006
【図６】
0003563814.tif 000007
【図７】
0003563814.tif 000008
【図８】
0003563814.tif 000009
【図９】
0003563814.tif 000010
【図１０】
0003563814.tif 000011
【図１１】
0003563814.tif 000012
【図１２】
0003563814.tif 000013
【図１３】
0003563814.tif 000014
【図１４】
0003563814.tif 000015
【図１５】
0003563814.tif 000016
【図１６】
0003563814.tif 000017
【図１７】
0003563814.tif 000018
【図１８】
0003563814.tif 000019
【図１９】
0003563814.tif 000020
【図２０】
0003563814.tif 000021
【図２１】
0003563814.tif 000022
【図２２】
0003563814.tif 000023
【図２３】
0003563814.tif 000024
【図２４】
0003563814.tif 000025
【図２５】
0003563814.tif 000026
【図２６】
0003563814.tif 000027
【図２７】
0003563814.tif 000028
【図２８】
0003563814.tif 000029
【図２９】
0003563814.tif 000030
【図３０】
0003563814.tif 000031
【図３１】
0003563814.tif 000032
【図３２】
0003563814.tif 000033
【図３３】
0003563814.tif 000034
【図３４】
0003563814.tif 000035
【図３５】
0003563814.tif 000036
【図３６】
0003563814.tif 000037
【図３７】
0003563814.tif 000038
【図３８】
0003563814.tif 000039
【図３９】
0003563814.tif 000040